(57)【要約】【目的】従来の水路拡幅による規格化や大規格水路建設を改め、角落しの過剰製作の無駄をなくし、水路幅に合わせて調節可能な伸縮式角落しを提供する。【構成】水路の止水装置として、戸溝間隔の異なる所に設置可能とするために、伸縮式構成を備えた角落しについて、隣接する左右の角落し部材１１、１２を左右に伸びるガイドレールに沿って移動可能にボルト接合することにより、角落し幅を無段階に戸溝間隔に適合させるもとのし、ボルト接合部の摩擦抵抗力を向上させるために、ガイドレール２５を一方の角落し部材に挿入した楔形式とする。【選択図】　　　　図１
2004003349.tif 000002
【特許請求の範囲】
【請求項１】
水路の止水装置として、戸溝間隔の異なる所に設置可能とするために、伸縮式構成を備えた角落しであって、隣接する左右の角落し部材を左右に伸びるガイドレールに沿って移動可能にボルト接合することにより、角落し幅を無段階に戸溝間隔に適合させるものとし、ボルト接合部の摩擦抵抗力を向上させるために、ガイドレールを一方の角落し部材に挿入した楔形式とすることを特徴とした伸縮式角落し。
【請求項２】
ボルト接合のための締め付けボルトは、平行四辺形状の頭部を有し、楔形式のガイドレールに嵌め込んで使用されるときに、回転すると平行四辺形状の頭部がガイドレールの側壁に噛み合った状態で緊結され、それによってボルト接合部の摩擦抵抗力を向上させた請求項１記載の伸縮式角落し。
【発明の詳細な説明】
【０００１】
【発明の属する技術分野】
本発明は、水路の止水装置として、戸溝間隔の異なる所に設置可能とするために、伸縮式構成を備えた角落しに関するものである。
【０００２】
【従来の技術】
水路の保守点検や流量調節などを行う目的で、角落しを所要高さに積層し、水路を堰き止めることが行われる。この角落しは、壁面に設けられた上下方向の戸溝に挿入して形成されるもので、設置及び撤去は容易である。しかし、角落しを設けるべき水路幅は水の合流する排水路については次第に広くなり、水が分流する用水路では下流へ行くにつれて次第に狭くなるため、非常に種類が多くなる。また、角落しをゲートのように常設的に使用する可能性は低いため、コストも低いことが要請される。
【０００３】
こうした事情のために、角落しの兼用を図ることが考えられ、一定区間の角落し設置位置の水路幅を大きい規格に統一するという策が取られて来た。しかしながら、角落しの規格化のために水路の一部を拡幅することは不経済な方策であり、またそうであるからといって大量の角落しを製作し保管することも困難なことである。
【０００４】
【発明が解決しようとする課題】
本発明は前記の点に着目してなされたもので、その課題は、従来の水路拡幅による規格化や、大規格水路建設を改め、角落しの過剰製作の無駄をなくし、水路幅に合わせて調節可能な伸縮式角落しを提供することである。
【０００５】
【課題を解決するための手段】
前記の課題を解決するため本発明は、水路の止水装置として、戸溝間隔の異なる所に設置可能とするために、伸縮式構成を備えた角落しについて、隣接する左右の角落し部材を左右に伸びるガイドレールに沿って移動可能にボルト接合することにより、角落し幅を無段階に戸溝間隔に適合させるものとし、ボルト接合部の摩擦抵抗力を向上させるために、ガイドレールを一方の角落し部材に挿入した楔形式とするという手段を講じたものである。
【０００６】
本発明における伸縮式とは、２個の角落し部材（アーチ形状を含む）を左右へスライドさせることによって全長（全幅）が伸張、収縮する形式のものをいう。他の形式例えば２個の角落し部材をヒンジ等で接合する構造における拡幅式の長さ調節などは包含しない。
【０００７】
本発明における左右の角落し部材は、角落しを構成する要素としての部材を示している。つまり、左の角落し部材と右の角落し部材を結合し、さらに角落し部材を１段又は２段以上積み重ねることによって１基の角落しが形成される。
【０００８】
本発明では、隣接する左右の角落し部材を左右に伸びるガイドレールに沿って移動可能に組み合わせ、最終的にボルト接合することにより、角落し幅を無段階に戸溝間隔に適合させるものとする。このために、ガイドレールを一方の角落し部材の下流側の面に設置し、ボルトを他方の角落し部材の先端部側に通して、ナットにより緊結するようにする。
【０００９】
ところで、伸縮部における隣接角落し部材の固定を、単なるボルト締めによる摩擦抵抗力に頼るのみでは、伸縮式角落しの固定力として十分とは言えない。そこで本発明では、ボルト接合部の摩擦抵抗力を向上させるために、ガイドレールを一方の角落し部材に挿入した楔形式とする。このガイドレールは、ボルトの締め付け長さが複数のボルトで異なるように傾斜させた形態を有するものであることが望ましい。
【００１０】
またボルト接合のための締め付けボルトは、平行四辺形状の頭部を有することが望ましい。それによって、ボルトを楔形式のガイドレールのボルト穴に嵌め込んで使用すると、ボルト締めの回転により、平行四辺形状の頭部がガイドレールの側壁に噛み合った状態で締結され、それによって、ボルト接合部の摩擦抵抗力を向上させることができる。
【００１１】
【発明の実施の形態】
以下さらに図示の実施形態を参照して本発明をより詳細に説明する。図１は本発明に係る伸縮式角落し１０の最大幅の状態（図１（ａ））と、最小幅（図１（ｂ））の状態を示している。図において、１１、１２は左右２個の角落し部材を示しており、これらを結合し、かつ結合したものを２段積み重ねて、例示の角落しが形成されている。
【００１２】
個々の角落し部材１１、１２は、図３により詳細に示したようにＨ型鋼よりなる梁材１３を間隔をあけて上下に並べ、かつその正面と背面及び上下を夫々板材１４、１５、１６、１７、１８、１９、２０、２１で覆い、下部に水路底との間の水密のための、ゴム等より成る水密部材２２、２３を設けた、箱状構造を有する。左右の角落し部材１１、１２の接合部にも、Ｌ字形の水密部材２４が設けられる。また図１、図２における左の角落し部材１１には、前後に通すボルト２７の締め付け長さが異なるように設けた傾斜を有する、不等辺山型鋼より成るガイドレール２５が梁材１３に溶接されている。
【００１３】
ボルト穴は、間隔をあけて上下に並べられた梁材１３の間のスリット溝２６として設けられており、左の角落し部材１１のほぼ全幅にわたっている（図２参照）。ボルト２７は、その頭部２８をガイドレール２５の上流側に配置し、その先端を下流側に向けて複数個使用される。ガイドレール２５の傾斜面に配置されるそのボルト頭部２８は、図４に示すように平行四辺形状を有しており、これは上下に設けられている梁材１３、１３の間隔よりも長い長辺と、梁材１３の側壁に当たって噛み合いを生じる斜辺から成る短辺とを有する。
【００１４】
右の角落し部材１２にはボルト締め部２９が先端側（図中左側）に設けられており、左右の角落し部材１１、１２をボルト接合するためのナット３０は２重にして緩み止めをする。符号３１、３２は積み重ねガイドであり、各角落し部材１１、１２の上部外側に設けて積み重ね時のガイドとして機能する。また、３３は右の角落し部材１２に設けた戸溝嵌合部であり、水路壁左右の同位置に設けられる戸溝３４、３５の一方（３５）に嵌まり込む。
【００１５】
このように構成された本実施形態の伸縮式角落し１０では、ボルト接合部のガイドレール２５を、左の角落し部材１１の内部に楔形式で設けたことにより、特別な止水構造を必要とすることなく、ボルト接合部にかかる水圧に基いて剪断抵抗力を向上させることができた。またボルト２７の頭部２８を平行四辺形とし、ナット３０を締め付けて回転したときに、楔形式のガイドレール２５上で頭部２８が梁部１３の側壁に噛み合った状態となって緊結されるので、ボルト接合部の摩擦抵抗力の向上が図られる。
【００１６】
斯くして２方向の楔形状によるボルト接合技術の開発により、単なるボルト締めによるのとは比較にならないほど強度が高められ、安全率が飛躍的に向上したので、戸溝間隔の異なる角落しに本発明に係る同一構成の装置を共用することが可能となり、かつまた安心できる作業環境が確保されることにもなる。
【００１７】
なお、角落し部材１１、１２としては、保管、運搬、設置及び撤去などの作業性から、１ｍ程度を標準高さとし、これを複数段積み重ねて水深に合わせるようにするのが良い。設置に際しては，前もって所定の水路幅に合うよう角落しの全幅を調節し、トルクレンチなどによりボルト、ナットを所定強度に締め付け、車載クレーン等を用いて水路の戸溝３４、３５に嵌め込むようにする。
【００１８】
【発明の効果】
本発明は以上の如く構成されかつ作用するものであるから、従来の水路拡幅による大規格化や、角落しの過剰製作の無駄などをなくし、水路幅に合わせて調節可能な伸縮式角落しとして、水路造成と角落しの製作コスト並びに維持管理コストの軽減、及び施設の弾力的運営に寄与するという効果を奏する。
【図面の簡単な説明】
【図１】（ａ）本発明の伸縮式角落しの実施形態として最大幅の状態を示す横断面図。
（ｂ）同じく最小幅の状態を示す横断面図。
【図２】最大幅の状態における下流側の正面図。
【図３】（ａ）最大幅の状態における縦断面図。
（ｂ）最小幅の状態における縦断面図。
【図４】ボルトの頭部を示す説明図。
【符号の説明】
１０　伸縮式角落し
１１、１２　角落し部材
１３　梁材
１４、１５、１６、１７、１８、１９、２０、２１　板材
２２、２３、２４　水密部材
２５　ガイドレール
２７　ボルト
２８　頭部
３０　ナット
３４、３５　戸溝
【図１】
2004003349.tif 000003
【図２】
2004003349.tif 000004
【図３】
2004003349.tif 000005
【図４】
2004003349.tif 000006